(57)【要約】【課題】  外被を剥ぎ取るときに、光ファイバー線が損傷せず、施工者が怪我をする懸念がなく、外被屑が散乱しない光ケーブル用支持線剥取器を提供する。【解決手段】  光ケーブル用支持線剥取器１００は、筒体８と、筒体８の一端側に設けられ、分離溝２２に沿って分離された光ケーブル１６の支持線部分１８を挿通する支持線挿通孔４を有する切り刃ユニット２と、切り刃ユニット２から所定の間隔を空けて筒体８の他端側に設けられ、支持線部分１８の長手方向の位置を規制する位置規制部材１０とを備え、切り刃ユニット２は、板状のベース部３と、ベース部３の筒体内方側に突出する円錐台部１とを一体に有し、支持線挿通孔４が円錐台部１の中心部において切り刃ユニット２を貫通するように構成される。【選択図】  図１
2006084949.tif 000002
【特許請求の範囲】
【請求項１】
光ファイバー線と支持線とが互いに平行な状態で外被で被覆され、前記外被に光ファイバー線部分と支持線部分とを分離するための分離溝が形成された光ケーブルに用いる光ケーブル用支持線剥取器であって、
筒体と、前記筒体の一端側に設けられ、前記分離溝に沿って分離された光ケーブルの支持線部分を挿通する支持線挿通孔を有する切り刃ユニットと、前記切り刃ユニットから所定の間隔を空けて前記筒体の他端側に設けられ、前記支持線部分の長手方向の位置を規制する位置規制部材とを備え、前記切り刃ユニットは、板状のベース部と、前記ベース部の筒体内方側に突出する円錐台部とを一体に有し、前記支持線挿通孔が前記円錐台部の中心部において切り刃ユニットを貫通するように構成されたことを特徴とする光ケーブル用支持線剥取器。
【請求項２】
筒体の側部に設けられ、光ケーブルをその幅方向の位置を規制して載置するガイド部と、前記筒体の側部に前記ガイド部に対して接離可能に支持され、かつ前記ガイド部上の光ケーブルの分離溝に喰い込む切り裂き刃を有するケーブル分離用レバーとをさらに備える請求項１記載の光ケーブル用支持線剥取器。
【請求項３】
位置規制部材は筒体に着脱自在なキャップにより構成される請求項１または２記載の光ケーブル用支持線剥取器。
【発明の詳細な説明】
【技術分野】
【０００１】
本発明は、光ファイバー線と支持線とが互いに平行な状態で外被で被覆され、この外被に光ファイバー線部分と支持線部分とを分離するための分離溝が形成された光ケーブルに用いる光ケーブル用支持線剥取器に関する。
【背景技術】
【０００２】
光ファイバー線と支持線とが互いに平行な状態で外被で被覆され、この外被に光ファイバー線部分と支持線部分とを分離するための分離溝が形成された光ケーブルを引き留め用金物に引き留める従来の方法を説明する。まず、光ファイバー線部分と支持線部分とを分離するための分離溝に沿って光ケーブルの一端から１０ｃｍ程度、ニッパーで分離溝の外被を切断し、手作業により光ファイバー線部分を支持線部分から引き離し、その後、支持線部分の外被剥ぎ取り長（例えば約１０ｃｍ）を計測し、次にカッター等で支持線部分の外被を外被剥ぎ取り長だけ剥ぎ取って支持線を露出させ、露出した支持線を引き留め用金物に挿入し、引き留めていた。光ケーブルの設置工事では、このような引き留め作業が多く発生する。
【発明の開示】
【発明が解決しようとする課題】
【０００３】
しかしながら上記従来技術では、外被は支持線に強固に接着されており、その外被の剥ぎ取りにカッター等の汎用工具を使用しているため、支持線の外被の剥ぎ取りの際に、光ファイバー線が損傷し、施工者の怪我が懸念され、また外被屑が散乱し、清掃が困難になるという問題がある。
【０００４】
また手作業により光ファイバー線部分を支持線部分から引き離すので、光ファイバー線部分にくせが付き、引き留め作業の後工程が行い難くなるという問題がある。
【０００５】
さらに、ニッパーで分離溝の外被を切断し、手作業により引き離す作業は、非効率であるという問題もある。
【０００６】
本発明の目的は、上記従来例の問題点を解決し得る光ケーブル用支持線剥取器を提供することにある。
【課題を解決するための手段】
【０００７】
本発明に係る光ケーブル用支持線剥取器は、光ファイバー線と支持線とが互いに平行な状態で外被で被覆され、前記外被に光ファイバー線部分と支持線部分とを分離するための分離溝が形成された光ケーブルに用いる光ケーブル用支持線剥取器であって、筒体と、前記筒体の一端側に設けられ、前記分離溝に沿って分離された光ケーブルの支持線部分を挿通する支持線挿通孔を有する切り刃ユニットと、前記切り刃ユニットから所定の間隔を空けて前記筒体の他端側に設けられ、前記支持線部分の長手方向の位置を規制する位置規制部材とを備え、前記切り刃ユニットは、板状のベース部と、前記ベース部の筒体内方側に突出する円錐台部とを一体に有し、前記支持線挿通孔が前記円錐台部の中心部において切り刃ユニットを貫通するように構成されたことを特徴とする。
【０００８】
この構成によれば、分離溝に沿って分離された光ケーブルの支持線部分を、切り刃ユニットの支持線挿通孔に挿通し、その先端を位置規制部材に当てて支持線部分の外被の剥ぎ取り長さを規制する。そして支持線挿通孔に対して傾けた状態で支持線部分を引くと、円錐台部が支持線挿通孔と交わる部分が切刃を構成し、前記切刃が支持線部分の外被に喰い込んで外被内の支持線に到達し、外被を支持線から剥ぎ取ることができる。
【０００９】
このように、支持線挿通孔に挿通した支持線部分を支持線挿通孔に対して傾けた状態で引くという安定した作業により、支持線部分の外被を容易に剥ぎ取ることができるので、光ファイバー線が損傷することがなく、施工者が怪我をするおそれもない。また剥ぎ取られた外被屑は筒体内に保持され、散乱することがない。
【００１０】
筒体の側部に設けられ、光ケーブルをその幅方向の位置を規制して載置するガイド部と、前記筒体の側部に前記ガイド部に対して接離可能に支持され、かつ前記ガイド部上の光ケーブルの分離溝に喰い込む切り裂き刃を有するケーブル分離用レバーとをさらに備えることが好ましい。
【００１１】
ガイド部上の光ケーブルの分離溝にケーブル分離用レバーの切り裂き刃を喰い込ませた状態で分離溝に沿って光ケーブルを引っ張ることにより、切り裂き刃が分離溝の外被を引き裂くので、ファイバー線部分と支持線部分とを容易に分離することができ、手作業で分離するときのように光ファイバー線部分にくせがつくことがないからである。
【００１２】
位置規制部材は筒体に着脱自在なキャップにより構成されることが好ましい。キャップであれば、筒体から外すことにより筒体内に溜まった外被屑を容易に筒体の外へ除去することができるからである。
【発明の効果】
【００１３】
本発明によれば、光ケーブルの支持線部分の外被を剥ぎ取るときに、光ファイバー線が損傷せず、施工者が怪我をする懸念がなく、外被屑が散乱しない光ケーブル用支持線剥取器を提供することができる。
【発明を実施するための最良の形態】
【００１４】
以下図面を参照して本発明の実施の形態を説明する。
【００１５】
図１（ａ）は本実施の形態に係る光ケーブル用支持線剥取器１００の外観を示す斜視図であり、図１（ｂ）は図１（ａ）に示す断面１ｂ−１ｂに沿った断面図である。図２は、図１（ｂ）に示すＡ部の拡大図である。
【００１６】
光ケーブル用支持線剥取器１００は、透明な材料からなる円筒状の筒体８を備える。Ｌ字状のベースプレート１２が、筒体８の一端とその側部の一部とを覆って設けられる。ベースプレート１２は、筒体８の一端に対向する端部プレート３５と、筒体８の側部に位置する側部プレート３６とを有する。筒体８の外周面に嵌め合わされた短円筒状の筒体支持部２３が、端面プレート３５の筒体８に対向する対向面３７に溶接により固定される。筒体８は、図示しないネジにより筒体支持部２３に螺着される。端部プレート３５は、筒体８の中心軸線９の周りに形成された孔２８を有する。
【００１７】
図３（ａ）は光ケーブル用支持線剥取器１００が用いられる分離前の光ケーブル１６の外観を示す斜視図であり、図３（ｂ）は光ケーブル１６の断面図であり、図３（ｃ）は分離後の光ケーブル１６の外観を示す斜視図である。
【００１８】
光ケーブル１６は、複数の光ファイバー線１９と支持線２１とが互いに平行な状態で外被２０により被覆され、光ファイバー線１９とその外被２０とからなる光ファイバー線部分１７と、支持線２１とその外被２０とからなる支持線部分１８とを分離するための分離溝２２が形成される。図３（ｂ）の断面図は、８心ＳＭ型光ファイバーＤＲケーブルの例を示しており、光ファイバー線１９は、例えば４本１組でテーピングされたものが２個設けられる。
【００１９】
光ケーブル１６は、光ケーブル用支持線剥取器１００により、分離溝２２に沿って光ファイバー線部分１７と支持線部分１８とに分離され、支持線部分１８の外被２０が剥ぎ取られる。
【００２０】
端部プレート３５の表面２９に、切り刃ユニット２が孔２８を覆って取り付けられる。切り刃ユニット２は、分離された支持線部分１８を挿通する支持線挿通孔４を有し、円板状のベース部３と、ベース部３の筒体内方側に向かって孔２８内で突出する円錐台部１とを一体に有する。ベース部３はボルト３０により端部プレート３５に取り付けられる。
【００２１】
支持線挿通孔４は、円錐台部１の先端面２５において切り刃ユニット２を貫通する。円錐台部１および支持線挿通孔４は、中心軸線９を中心に形成される。先端面２５の外径Ｄ１は３．４ｍｍであり、支持線挿通孔４の内径Ｄ２は３．３ｍｍである。
【００２２】
外周斜面６が内周側面５に対してなす角度αは、支持線部分１８の外被２０への前記切刃の喰い込み易さの観点から、５０度以下であることが好ましく、前記切刃の強度の観点から３５度以上であることが好ましい。支持線挿通孔４の筒体８と反対側の端部には、角度β＝３０度のテーパ２７が形成される。テーパ２７が形成されると、支持線挿通孔４に支持線部分１８を挿入し易くなり、また支持線挿通孔４に挿通された支持線部分１８を筒体８内で揺動させ易くなる。
【００２３】
図４は、位置規制部材１０と筒体８との関係を説明する斜視図である。位置規制部材１０は、切り刃ユニット２から所定の間隔Ｌ３を空けて筒体８の他端に設けられる。所定の間隔Ｌ３は、切り刃ユニット２により剥ぎ取られる支持線部分１８の外被２０の長さに設定され、例えば１０ｃｍである。筒体８の他端の内周面には雌ネジ３１が周設される。位置規制部材１０は、短円柱状のつまみ部３２を有する。つまみ部３２の筒体８側の端面に、雌ネジ３１に螺合する雄ネジ３４が周設された短円柱状のネジ部３３が設けられる。つまみ部３２の外周側面には、ネジによる着脱時の操作者の指の滑り防止のための線状の溝が中心軸線９に平行に形成される。このように、位置規制部材１０は筒体８にねじにより着脱自在に構成される。
【００２４】
ネジ部３３の端面は、切り刃ユニット２に対向する位置規制曲面２６を構成する。位置規制曲面２６は、支持線挿通孔４に挿通された支持線部分１８の先端と当接して支持線部分１８の長手方向の位置を規制し、図１（ｂ）に破線で示すように支持線挿通孔４を中心に揺動する支持線部分１８の先端に沿うように凹状に形成される。
【００２５】
側部プレート３６には、ガイド部１３が設けられる。ガイド部１３は、光ケーブル１６を載置する載置部３８と、図３（ｂ）の矢印Ａ１に示す光ケーブル１６の幅方向の位置を規制するために載置部３８の一端から直角に折り曲げられた折り曲げ部３９とを有する。
【００２６】
側部プレート３６には、ケーブル分離用レバー１４が支軸４０の周りに回動自在に設けられる。ケーブル分離用レバー１４には、載置部３８上の光ケーブル１６の分離溝２２に喰い込む切り裂き刃１５が、載置部３８に対して接離可能に支持される。ケーブル分離用レバー１４を回動させるための折り曲げ操作部４１が、ケーブル分離用レバー１４に設けられる。
【００２７】
以上のように構成された光ケーブル用支持線剥取器１００の動作を説明する。図５は、光ケーブル用支持線剥取器１００の動作を説明するための斜視図である。
【００２８】
まず図５に示すように、折り曲げ操作部４１を掴んでケーブル分離用レバー１４を矢印Ａ２の方向に支軸４０の周りに回動させ、切り裂き刃１５をガイド部１３の載置部３８上から離間させる。そして、例えば光ケーブル１６の一端から所定の長さだけ離れた部分を載置部３８上に載置する。この所定の長さは、切り裂き刃１５により分離溝２２を分離する長さに相当し、例えば１５ｃｍである。次に、ケーブル分離用レバー１４を矢印Ａ３の方向に回動させ、載置部３８上の光ケーブル１６の分離溝２２に切り裂き刃１５を喰い込ませた状態で、載置部３８上の光ケーブル１６を分離溝２２に沿って引っ張ると、切り裂き刃１５は外被２０を光ケーブル１６の一端まで切り裂き、図３（ｃ）に示すように光ファイバー線部分１７と支持線部分１８とが光ケーブルの一端から所定の長さだけ分離される。
【００２９】
図６（ａ）は分離後剥ぎ取り前の支持線部分１８の外観を示す斜視図であり、図６（ｂ）は剥ぎ取り後の支持線部分１８の外観を示す斜視図である。
【００３０】
図６（ａ）に示す分離後の支持線部分１８を支持線挿通孔４に挿通して、位置規制部材１０の位置規制曲面２６にその先端を当接させる。次に図１（ｂ）に破線で示すように支持線部分１８を支持線挿通孔４を中心に揺動させて中心軸線９に対して傾斜角γだけ傾け、支持線部分１８の外被２０を、支持線挿通孔４と先端面２５とが交わる部分に当接させた状態で、支持線部分１８を引くと、支持線挿通孔４、外周斜面６および先端面２５で構成される切刃が支持線部分１８の外被２０に喰い込む。そして支持線２１の表面に到達し、この支持線２１の表面に沿って外被２０を剥ぎ取る。さらに支持線部分１８を引くと、支持線挿通孔４に挿通した支持線部分１８の先端まで長さＬ３＝１０ｃｍ分の外被２０を剥ぎ取ることができる。
【００３１】
円環状の先端面２５の半径方向の厚みＤ３（＝（Ｄ１−Ｄ２）／２）は、０．０５ｍｍ以下であることが好ましい。支持線挿通孔４、先端面２５および外周斜面６で構成される切刃が、中心軸線９に対して傾けられた支持線部分１８の外被２０へ喰い込み易いからである。厚みＤ３はゼロであること、即ち、円錐台部１の外周斜面６と支持線挿通孔４の内周側面５とが交わる状態にあることがより好ましい。切刃が外周斜面６と内周側面５とで構成されて、最も鋭利になり、支持線部分１８の外被２０へ、より喰い込み易くなるからである。
【００３２】
支持線部分１８の中心軸線９に対する傾斜角ｒは、切り刃ユニット２の前記切刃の外被２０に対する喰い込み易さの観点から、１０度以上、３０度以下が好ましい。
【００３３】
そして、中心軸線９に垂直な方向から見て順次他の適当な方向に支持線部分１８を傾けながら前記作業と同様にして外被２０を剥ぎ取ると、図６（ｂ）に示すように、３６０度すべての方向の外被２０を剥ぎ取ることができ、支持線２１を露出させることができる。
【００３４】
なお、支持線部分１８を順次各方向に傾けて外被２０を剥ぎ取る替わりに、一定方向に傾けた支持線部分１８を順次回動させながら外被２０を剥ぎ取ってもよい。
【００３５】
本実施の形態では、固定したガイド部１３に対して切り裂き刃１５を回動させる例を示したが、逆に、切り裂き刃を固定してガイド部を回動させてもよい。
【００３６】
本実施の形態では筒体が透明な材料からなるため、筒体内の支持線部分を視認しながら作業できるので作業性が良好になる。
【産業上の利用可能性】
【００３７】
本発明は、光ファイバー線と支持線とが互いに平行な状態で外被で被覆され、この外被に光ファイバー線部分と支持線部分とを分離するための分離溝が形成された光ケーブルに用いる光ケーブル用支持線剥取器に適用することができる。
【図面の簡単な説明】
【００３８】
【図１】（ａ）は本実施の形態に係る光ケーブル用支持線剥取器の外観を示す斜視図であり、  （ｂ）は（ａ）に示す断面１ｂ−１ｂに沿った断面図である。
【図２】図１（ｂ）に示すＡ部の拡大図である。
【図３】（ａ）は本実施の形態に係る光ケーブル用支持線剥取器による分離前の光ケーブルの外観を示す斜視図であり、  （ｂ）は光ケーブルの断面図であり、  （ｃ）は分離後の光ケーブルの外観を示す斜視図である。
【図４】本実施の形態に係る光ケーブル用支持線剥取器に設けられた位置規制部材と筒体との関係を説明する斜視図である。
【図５】本実施の形態に係る光ケーブル用支持線剥取器の動作を説明するための斜視図である。
【図６】（ａ）は本実施の形態に係る光ケーブル用支持線剥取器による剥ぎ取り前の支持線部分の外観を示す斜視図であり、  （ｂ）は剥ぎ取り後の支持線部分の外観を示す斜視図である。
【符号の説明】
【００３９】
１  円錐台部
２  切り刃ユニット
３  ベース部
４  支持線挿通孔
５  内周側面
６  外周斜面
８  筒体
９  中心軸線
１０  位置規制部材
１２  ベースプレート
１３  ガイド部
１４  ケーブル分離用レバー
１５  切り裂き刃
１６  光ケーブル
１７  光ファイバー線
１８  支持線部分
１９  光ファイバー線
２０  外被
２１  支持線
２２  分離溝
２３  筒体支持部
２５  先端面
２６  位置規制曲面
２７  テーパ
２８  孔
１００  光ケーブル用支持線剥取器
【図１】
2006084949.tif 000003
【図２】
2006084949.tif 000004
【図３】
2006084949.tif 000005
【図４】
2006084949.tif 000006
【図５】
2006084949.tif 000007
【図６】
2006084949.tif 000008